(57)【要約】【課題】特性（周波数特性、指向性）が良く、設置スペースを従来のものよりも小さくすることができるアンテナを提供する。【解決手段】絶縁性の材料からなる板状の基材３と、適数の切り欠き７、９を備えて基材３の面に設けられた第１の導体５と、基材３の面に第１の導体５から突出して設けられた第２の導体１１とを有し、第１の導体５と第２の導体１１とに給電されるように構成されている。【選択図】図１
2007166127.tif 000002
【特許請求の範囲】
【請求項１】
絶縁性の材料からなる板状の基材と；
適数の切り欠きを備えて前記基材の面に設けられた第１の導体と；
前記基材の面に前記第１の導体から突出して設けられた第２の導体と；
を有し、前記第１の導体と前記第２の導体とに給電されるように構成されていることを特徴とするアンテナ。
【請求項２】
請求項１に記載のアンテナにおいて、
前記各切り欠きと、前記第２の導体の先端部側の部位とは、互いがほぼ平行になるように細長く延伸していることを特徴とするアンテナ。
【発明の詳細な説明】
【技術分野】
【０００１】
本発明は、アンテナに係り、特に、無線ＬＡＮ等を構築するためにパソコン等の機器に使用されるものに関する。
【背景技術】
【０００２】
近年、無線通信システム（無線ＬＡＮ）が普及し、この無線ＬＡＮに対応したモバイル機器、たとえばノート型パソコンが公衆エリアでインターネットやその他のサービスに接続できる「ホットスポット」が増加している。このホットスポットで無線ＬＡＮを利用できるノート型パソコンに搭載可能な板状のアンテナとして、図７に示すような、板状の金属素子を用いて構成された平面状のアンテナ２００が知られている（たとえば非特許文献１参照）。
【０００３】
アンテナ２００の金属素子は、矩形な板状のグランド導体２０２と、このグランド導体２０２の端部から細長く延出している「Ｌ」字状の放射導体２０４とにより構成されている。アンテナ２００の使用周波数は、２．４ＧＨｚ程度であり、放射導体２０４は、前記使用周波数の波長λの約１／４の長さ延出している。
【０００４】
放射導体２０４には、同軸ケーブル２０８の中心導体２１０が電気的に接続されており、グランド導体２０２には、同軸ケーブル２０８の外側導体２１２が電気的に接続されている。
【０００５】
そして、同軸ケーブル２０８を用いてアンテナ２００に給電することができるようになっている。
【非特許文献１】日立電線株式会社技報  Ｎｏ．２１“２．４ＧＨｚ帯モバイル機器内蔵用フィルムアンテナ”２００２年１月発行  さらに、前記従来のアンテナに関連する文献として、次に示す特許文献１、特許文献２、特許文献３、非特許文献２、非特許文献３を掲げることができる。
【特許文献１】特開平２００４−１４０４７０号公報
【特許文献２】特開平２００４−１０４３３３号公報
【特許文献３】特開平２００４−１５３８６１号公報
【非特許文献２】フジクラ技報第１０４号“無線ＬＡＮ用小型フィルムアンテナ”２００３年４月発行
【非特許文献３】フジクラ技報第１０７号“無線ＬＡＮ用小型フィルムアンテナ”２００４年１０月発行
【発明の開示】
【発明が解決しようとする課題】
【０００６】
ところで、最近のパソコン（特にモバイル用パソコン）のさらなる小型化等によってアンテナの設置スペースが小さくなってきており、さらなるアンテナの小型化が求められている。それにもかかわらず、従来のアンテナ２００では、アンテナの特性（周波数特性、指向性）が良好な状態を維持するためにグランド導体２０２を図７に示すようにある程度大きくする必要があり、アンテナの小型化が困難になっている。
【０００７】
したがって、従来のアンテナ２００では、（周波数特性、指向性）を良しくて、設置スペースを小さくするという目的を十分に果たすことができないという問題がある。
【０００８】
本発明は、前記問題点に鑑みてなされたものであり、特性（周波数特性、指向性）が良く、設置スペースを従来のものよりも小さくすることができるアンテナを提供することを目的とする。
【課題を解決するための手段】
【０００９】
請求項１に記載の発明は、絶縁性の材料からなる板状の基材と、適数の切り欠きを備えて前記基材の面に設けられた第１の導体と、前記基材の面に前記第１の導体から突出して設けられた第２の導体とを有し、前記第１の導体と前記第２の導体とに給電されるように構成されているアンテナである。
【００１０】
請求項２に記載の発明は、請求項１に記載のアンテナにおいて、前記各切り欠きと、前記第２の導体の先端部側の部位とは、互いがほぼ平行になるように細長く延伸しているアンテナである。
【発明の効果】
【００１１】
本発明によれば、特性（周波数特性、指向性）が良く、設置スペースを従来のものよりも小さくすることができるアンテナを提供することができるという効果を奏する。
【発明を実施するための最良の形態】
【００１２】
図1は、本発明の実施形態に係るアンテナ１の概略構成を示す図であり、図２は図１におけるＩＩ矢視図である。
【００１３】
アンテナ１は、たとえばパソコン等の機器に設置され無線ＬＡＮ等を構築するために２．４ＧＨｚ帯で使用されるものであり、合成樹脂等の絶縁性の材料からなる薄い平板状の基材３を備えている。基材３は、フレキシブルに構成されていてもよいし、リジッドに構成されていてもよい。
【００１４】
基材３の一方の面には、第１の導体（たとえば銅等の金属で構成された金属素子；グランド導体）５が薄く設けられている。このグランド導体５は、たとえばエッチング等により形成されており、グランド導体５はこの外周から内側に向かう凹状の適数の細長い切り欠き（スリット）７、９を備えている。
【００１５】
また、基材３の前記一方の面には、前記グランド導体５と電気的に接続されている第２の導体（たとえば銅等の金属で構成された金属素子；放射導体）１１が、グランド導体５から細長く突出して薄く設けられている。前記導体１１も、たとえばエッチング等により形成されており、また、エッチング等によりグランド導体５と同時に形成される。
【００１６】
より具体的に説明すると、基材３は、矩形な板状に形成されている。グランド導体５は、基材３よりも小さな矩形状（幅が基材３よりも僅かに小さく、長さが基材３よりも小さい矩形状）に形成されている。また、図１に示すように基材３の厚さ方向から眺めた場合、グランド導体５は、基材３の長さ方向（Ｙ軸方向）の一端部側（図１の下側）で基材３内に設けられている。
【００１７】
放射導体１１は、所定の幅を備えた「Ｌ」字状に形成されて基材３の長さ方向の他端部側（図１の上側）に設けられている。
【００１８】
より詳しく説明すると、前記「Ｌ」字の一方の直線状の短い部位１３の先端部（前記「Ｌ」字の他方の直線状の長い部位（先端部側の部位）１５と接続している端部とは反対側の端部）が、グランド導体５の長さ方向の他端部であってグランド導体５の幅方向（Ｘ軸方向）の一端部（図１の右側）に接続されている。また、一方の直線状の部位１３は、基材３の長さ方向に延出している。
【００１９】
前記「Ｌ」字の他方の直線状部位１５は、一方の直線状部位１３よりも長く形成されており、基材３の幅方向の一端部から他端部に向かう方向で、グランド導体５の長手方向の他端部の端面から離れて前記端面とほぼ平行に延出している。他方の直線状部位１５の延出長さは、たとえば、アンテナ１の使用周波数の波長λの１／４の長さになっており、他方の直線状部位１５の先端部（一方の直線状部位１３と接続している端部とは反対側の端部）は、基材３の幅方向において、グランド導体５の他端部と同じところに位置している。
【００２０】
基材３の長さ方向とグランド導体５の長さ方向とは同じ方向であり、基材３の幅方向とグランド導体５の幅方向とは同じ方向である。また、２．４ＧＨｚの周波数帯域で使用されるアンテナ１においては、グランド導体５の幅寸法が、グランド導体５の長さ寸法よりも長くなっているが、使用される周波数帯域によっては、グランド導体５の幅寸法が、グランド導体５の長さ寸法と等しいか短くなる場合もある。
【００２１】
なお、前述したように構成されていることにより、アンテナ１は、薄い矩形な板状に形成されている。
【００２２】
次に、グランド導体５の切り欠きについて説明する。
【００２３】
グランド導体５の切り欠きは、たとえば、グランド導体５をたとえばエッチング等により基材３に生成するときに生成されるものであり、アンテナ１では２つ設けられている。これらの各切り欠き７、９は、細長い長方形状に形成されている。
【００２４】
２つの切り欠きのうちのうちの一方の切り欠き７は、グランド導体５の長さ方向における他端部側（放射導体１１側）で、グランド導体５の幅方向の他端部から一端部側に向かって（図１の左から右に向かって）長く設けられている。２つの切り欠きのうちのうちの他方の切り欠き９は、前記切り欠き７とは逆に、グランド導体５の長さ方向における一端部側（放射導体１１とは反対側）で、グランド導体５の幅方向の一端部から他端部側に向かって（図１の右から左に向かって）長く設けられている。
【００２５】
なお、各切り欠き７、９は、互いが離れて平行に細長く延伸して設けられており、一方の切り欠き７は、グランド導体５の幅方向の中心よりもグランド導体５の幅方向の一端部側まで延伸しており、他方の切り欠き９は、グランド導体５の幅方向の中心よりもグランド導体５の幅方向の他端部側まで延伸している。
【００２６】
このように、各切り欠き７、９が設けられていても、グランド導体５の面積は、放射導体１１の面積よりも大きくなっている。また、他方の直線状部位１５は、各切り欠き７、９と平行に細長く延伸している。
【００２７】
また、給電線の例である同軸ケーブル１７を用いて、グランド導体５と放射導体１１とに給電され、アンテナ１への給電がされるようになっている。
【００２８】
たとえば、同軸ケーブル１７は、基材３の各導体５、１１が設けられているの面側であって基材３の幅方向の一端部側で、基材３の長さ方向に延出して設けられている。さらに、同軸ケーブル１７の一端部の中心導体１９は、放射導体１１に電気的に接続されており、同軸ケーブル１７の外側導体２０は、放射導体１１側のグランド導体５の部位に電気的に接続されている。
【００２９】
次に、アンテナ１の特性の試験結果を示す。
【００３０】
図４は、図３に示すアンテナ２１と、図１に示すアンテナ１との周波数特性を示す図である。
【００３１】
図３に示すアンテナ２１は、図１に示すアンテナ１と同様に、基材２３にグランド導体２５と放射導体２７を設け、同軸ケーブル１７を設置したものである。アンテナ１との違いは、グランド導体２５に切り欠きが一切設けられていないことである。また、アンテナ２１は、図７に示すアンテナ２００において、グランド導体の長さを短くしたものということができる。
【００３２】
図４の横軸は周波数を示し、縦軸はＶＳＷＲ値（Ｖｏｌｔａｇｅ  Ｓｔａｎｄｉｎｇ  Ｗａｖｅ  Ｒａｔｉｏ）を示す。ＶＳＷＲの絶対値が「２以下」の範囲が共振周波数帯域になる。
【００３３】
図４に破線で示すグラフＧ１は、図３に示すアンテナ２１の周波数特性を示し、図４に実線で示すグラフＧ３は、図１に示すアンテナ１の周波数特性を示す。図４から理解することができるように、アンテナ２１には、ＶＳＷＲの絶対値が「２以下」の共振周波数帯域が存在しないが、アンテナ１には、ＶＳＷＲの絶対値が「２以下」の共振周波数帯域が、２．２７ＧＨｚ〜２．７ＧＨｚの範囲で存在している。
【００３４】
図５は、図７に示すアンテナ２００と、図１に示すアンテナ１との周波数特性を示す図である。
【００３５】
図５も図３と同様に、横軸が周波数を示し、縦軸がＶＳＷＲ値を示す。
【００３６】
図５に破線で示すグラフＧ５は、図７に示すアンテナ２００の周波数特性を示し、図５に実線で示すグラフＧ７は、図１に示すアンテナ１の周波数特性を示す。図４から理解することができるように、アンテナ２００では、ＶＳＷＲの絶対値が「２以下」の共振周波数帯域が、２．３２ＧＨｚ〜２．９ＧＨｚの範囲で存在している。アンテナ１では、ＶＳＷＲの絶対値が「２以下」の共振周波数帯域が、２．２６ＧＨｚ〜２．８２ＧＨｚの範囲で存在している。
【００３７】
図６は、図７に示すアンテナ２００と、図１に示すアンテナ１との指向性を示す図である。
【００３８】
なお、アンテナ２００、アンテナ１では、図７、図１に示すＹ軸方向に延びた中心線ＣＬ周りで指向性を測定してある。図６から理解されるように、アンテナ２００、アンテナ１の両アンテナにおいて、良好な指向性が得られている。
【００３９】
アンテナ１によれば、グランド導体５に各切り欠き７、９が設けられているので、グランド導体５を小さくしても、グランド導体５の外周長（図１に太線で示した外周長）がスリットを設けない場合（図３参照）に比べて長くなり、従来のアンテナ２００と同様に良好な特性（周波数特性、指向性）を得ることができる。
【００４０】
したがって、特性（周波数特性、指向性）が良く、設置スペースが従来のアンテナ２００よりも小さなアンテナ（設置スペースが従来のアンテナ２００の６０％程度である２．４ＧＨｚ用のアンテナ）１を容易に得ることができる。
【００４１】
なお、アンテナ１において、使用する周波数等に応じて、グランド導体５等の寸法を適宜変更してもよい。また、スリットの数量や設置位置等も適宜変更してよい。
【００４２】
さらに、グランド導体５等の形状を、四角形以外の形状（たとえば円弧状）にしてもよく、これに応じて、基材３等の形状を適宜変更してもよい。
【００４３】
さらに、アンテナ１において、基材３を削除し、従来のアンテナ２００のように、薄い金属の板で第１の導体、第２の導体を構成してもよい。
【図面の簡単な説明】
【００４４】
【図１】本発明の実施形態に係るアンテナの概略構成を示す図である。
【図２】図１におけるＩＩ矢視図である。
【図３】従来のアンテナのグランド導体を小型化したアンテナを示す図である。
【図４】図３に示すアンテナと、図１に示すアンテナとの周波数特性を示す図である。
【図５】図７に示すアンテナと、図１に示すアンテナとの周波数特性を示す図である。
【図６】図７に示すアンテナと、図１に示すアンテナとの指向性を示す図である。
【図７】従来のアンテナの概略構成を示す図である。
【符号の説明】
【００４５】
１  アンテナ
３  基材
５  第１の導体（グランド導体）
７、９  切り欠き
１１  第２の導体（放射導体）
【図１】
2007166127.tif 000003
【図２】
2007166127.tif 000004
【図３】
2007166127.tif 000005
【図４】
2007166127.tif 000006
【図５】
2007166127.tif 000007
【図６】
2007166127.tif 000008
【図７】
2007166127.tif 000009